(57)【要約】    【課題】      ＩＰ電話装置のユーザがＥＮＵＭサーバからＮＡＰＴＲレコードを削除する手間を省略すること。    【解決手段】  ＣＰＵ４０１は、ＩＰ電話１０１からＮＡＰＴＲレコードの削除要求（Ｒｅｇｉｓｔｅｒ（Ｕｎｒｅｇｉｓｔｅｒ））を受け付けると、あるいは、ＩＰ電話１０１から定期的に受け付けるＮＡＰＴＲレコードの登録要求（Ｒｅｇｉｓｔｅｒ）の受け付けが停止すると、顧客データベース４０３に記憶された該当する顧客データを参照し、ＩＰ電話１０１のＮＡＰＴＲレコードの削除要求をＥＮＵＭサーバ１０３に送出する。また、ＣＰＵ４０１は、ＩＰ電話１０２からＩＰ電話１０１のＮＡＰＴＲレコードの問い合わせをネットワークＩ／Ｆ４０５を介して定期的に受け付けると、そのＮＡＰＴＲレコードの削除処理が完了している場合は、ＩＰ電話１０１のＮＡＰＴＲ削除応答をＩＰ電話１０２に返送する。  【選択図】      図４
2006074723.tif 000002
【特許請求の範囲】
【請求項１】
ＩＰ電話装置の呼接続を制御する呼接続制御装置であって、
前記ＩＰ電話装置から送信されるＮＡＰＴＲレコードの削除要求を受信する受信手段と、
前記受信手段により受信した削除要求に含まれる電話番号に基づいて該電話番号のＩＰ電話装置のＮＡＰＴＲレコードの削除処理をＥＮＵＭサーバに対し要求する削除処理手段と、
を具備することを特徴とする呼接続制御装置。
【請求項２】
前記受信手段は、前記ＩＰ電話装置から定期的に送信される端末の登録要求を受信し、
前記削除処理手段は、前記受信手段による登録要求の受信が停止した場合に、停止前に受信した登録要求に含まれる電話番号に基づいて該電話番号のＩＰ電話装置のＮＡＰＴＲレコードの削除処理をＥＮＵＭサーバに対し要求することを特徴とする請求項１記載の呼接続制御装置。
【請求項３】
前記削除処理手段によりＮＡＰＴＲレコードを削除したＩＰ電話装置の情報を、通知先として指定された他のＩＰ電話装置に送信する送信手段を具備することを特徴とする請求項１又は２記載の呼接続制御装置。
【請求項４】
ＩＰ電話装置の呼接続を制御する呼接続制御装置から、ＩＰ電話装置のＮＡＰＴＲレコードの登録要求または削除要求を受信する受信手段と、
前記受信手段により登録要求を受信したとき前記ＩＰ電話装置のＮＡＰＴＲレコードを記憶する記憶手段と、
前記受信手段により削除要求を受信したとき前記ＩＰ電話装置のＮＡＰＴＲレコードを前記記憶手段から削除する削除手段と、を具備することを特徴とするＥＮＵＭサーバ。
【請求項５】
ＩＰ電話装置の呼接続を制御する呼接続制御装置とＩＰネットワークを介して接続されるＩＰ電話装置であって、
前記ＮＡＰＴＲレコードの削除要求を指示する指示手段と、
前記指示手段からの指示に応じて、ＮＡＰＴＲレコードの削除要求を前記呼接続制御装置に送信する送信手段と、
を具備することを特徴とするＩＰ電話装置。
【請求項６】
前記送信手段は、自装置の端末の登録要求を定期的に前記呼接続制御装置に送信し、前記指示手段からの指示に応じて、前記登録要求の送信を停止することを特徴とする請求項５記載のＩＰ電話装置。
【請求項７】
他のＩＰ電話装置のＮＡＰＴＲレコードの登録問い合わせをＥＮＵＭサーバに定期的に送信する問合せ手段と、
前記問合せ手段による登録問い合わせに応じて前記ＥＮＵＭサーバから送信される他のＩＰ電話装置のＮＡＰＴＲレコードの登録情報を受信する受信手段と、
前記受信手段により受信した他のＩＰ電話装置の登録情報を表示する表示手段と、
を具備することを特徴とするＩＰ電話装置。
【請求項８】
ＩＰネットワークに接続されたＩＰ電話装置と、ＩＰ電話装置の呼接続を制御する呼接続制御装置、を具備するＩＰ電話システムであって、
前記ＩＰ電話装置は、
前記ＮＡＰＴＲレコードの削除要求を指示する指示手段と、
前記指示手段からの指示に応じて、ＮＡＰＴＲレコードの削除要求を前記呼接続制御装置に送信する送信手段と、を具備し、
前記呼接続制御装置は、
前記ＩＰ電話装置から送信されるＮＡＰＴＲレコードの削除要求を受信する受信手段と、
前記受信手段により受信した削除要求に含まれる電話番号に基づいて該電話番号のＩＰ電話装置のＮＡＰＴＲレコードの削除処理をＥＮＵＭサーバに対し要求する削除処理手段と、を具備することを特徴とするＩＰ電話システム。
【請求項９】
ＩＰネットワークに接続されたＩＰ電話装置と、ＩＰ電話装置の呼接続を制御する呼接続制御装置、を具備するＩＰ電話システムであって、
前記ＩＰ電話装置は、
前記ＮＡＰＴＲレコードの削除要求を指示する指示手段と、
前記指示手段からの指示に応じて、ＮＡＰＴＲレコードの削除要求を前記呼接続制御装置に送信する送信手段と、を具備し、
前記呼接続制御装置は、
前記ＩＰ電話装置から送信されるＮＡＰＴＲレコードの削除要求を受信する受信手段と、
前記受信手段により受信した削除要求に含まれる電話番号に基づいて該電話番号のＩＰ電話装置のＮＡＰＴＲレコードの削除処理をＥＮＵＭサーバに対し要求する削除処理手段と、
前記ＩＰ電話装置のＮＡＰＴＲレコードが削除されたことを通知先として登録されている他のＩＰ電話装置に通知する通知手段と、を具備することを特徴とするＩＰ電話システム。
【発明の詳細な説明】
【技術分野】
【０００１】
本発明は、呼接続制御装置、ＩＰ電話装置及びＩＰ電話システムに関し、特にＥＮＵＭサーバからＮＡＰＴＲレコードを削除する呼接続制御装置、ＩＰ電話装置及びＩＰ電話システムに関する。
【背景技術】
【０００２】
近年、インターネットの急速な普及に伴い、遠隔地の電話装置と低料金での通話や登録会員同士のＩＰ電話装置間で無料通話が可能なＩＰ電話システムが注目されている。また、インターネットを利用したサービスやインターネット上のリソースと電話番号を結びつけるプロトコルとして、ＩＥＴＦ（Internet Engineering Task Force ）やＩＴＵ−Ｔ（International Telecommunication Union-Telecommunication Standardization Sector）などで検討が進められているＲＦＣ２９１６（非特許文献１）で規定される「ＥＮＵＭ（Telephone Number Mapping）」プロトコルがある。
【０００３】
この「ＥＮＵＭ」プロトコルは、ＩＴＵ−Ｔで定められたＥ．１６４の体系に合うよう変換された電話番号を元に、ＤＮＳ（Domain Name System）の仕組みを利用してそれをＩＰアドレス、もしくはＵＲＩ（Uniform Resource Identifier ）を検索できるようにするものである。
【０００４】
この「ＥＮＵＭ」プロトコルを利用してサービスを提供するＥＮＵＭシステムも検討されている。ＥＮＵＭシステムを利用するＩＰ電話装置等のＩＰ端末装置のエンドユーザは、自装置で利用する機能（ＵＲＩ、ＵＲＩを用いておこなうサービス（電話、電子メール、データベースアクセス等））を選択可能である。そして、エンドユーザは、選択した機能を「ＮＡＰＴＲ（The Naming Authority Pointer）」リソースレコードに設定して、ＥＮＵＭシステムに登録する必要がある。
【０００５】
また、エンドユーザは、登録したＮＡＰＴＲリソースレコードを削除する場合は、ＥＮＵＭサーバに対して削除要求を指示する必要がある。
【非特許文献１】ＥＮＵＭトライアルジャパン発行「ＥＮＵＭトライアルジャパン第一次報告書」、２００４年５月
【発明の開示】
【発明が解決しようとする課題】
【０００６】
しかしながら、上記従来の「ＥＮＵＭ」プロトコルを利用するＩＰ電話装置等のＩＰ端末装置のエンドユーザでは、登録したＮＡＰＴＲリソースレコードを削除する場合は、ＥＮＵＭサーバに対して削除要求を指示する必要があり、この削除作業が繁雑であるという問題があった。
【０００７】
本発明はかかる点に鑑みてなされたものであり、ＩＰ電話装置を利用するユーザのユーザ情報を電話番号と対応付けて記憶しておき、ＩＰ電話装置から送信されるＮＡＰＴＲレコードの削除要求に含まれる電話番号に応じて、記憶したＩＰ電話装置のユーザ情報の削除処理をＥＮＵＭサーバに対して実行する呼接続制御装置、ＩＰ電話装置及びＩＰ電話システムを提供することを目的とする。
【課題を解決するための手段】
【０００８】
本発明は、ＩＰ電話装置の呼接続を制御する呼接続制御装置であって、前記ＩＰ電話装置から送信されるＮＡＰＴＲレコードの削除要求を受信する受信手段と、前記受信手段により受信した削除要求に含まれる電話番号に基づいて該電話番号のＩＰ電話装置のＮＡＰＴＲレコードの削除処理をＥＮＵＭサーバに対し要求する削除処理手段と、を具備するようにしたものである。
【発明の効果】
【０００９】
本発明に係る呼接続制御装置、ＩＰ電話装置及びＩＰ電話システムによれば、ＩＰ電話装置のユーザがＥＮＵＭサーバからＮＡＰＴＲレコードを削除する手間を省略することができる。
【発明を実施するための最良の形態】
【００１０】
本発明の第１の態様に係る呼接続制御装置は、ＩＰ電話装置の呼接続を制御する呼接続制御装置であって、前記ＩＰ電話装置から送信されるＮＡＰＴＲレコードの削除要求を受信する受信手段と、前記受信手段により受信した削除要求に含まれる電話番号に基づいて該電話番号のＩＰ電話装置のＮＡＰＴＲレコードの削除処理をＥＮＵＭサーバに対し要求する削除処理手段と、を具備する構成を採る。
【００１１】
この構成によれば、ＩＰ電話装置のユーザがＥＮＵＭサーバからＮＡＰＴＲレコードを削除する手間を省略することができる。
【００１２】
本発明の第２の態様は、第１の態様における呼接続制御装置において、前記受信手段は、前記ＩＰ電話装置から定期的に送信される端末の登録要求を受信し、前記削除処理手段は、前記受信手段による登録要求の受信が停止した場合に、停止前に受信した登録要求に含まれる電話番号に基づいて該電話番号のＩＰ電話装置のＮＡＰＴＲレコードの削除処理をＥＮＵＭサーバに対し要求する構成を採る。
【００１３】
この構成によれば、ＩＰ電話装置のユーザがＥＮＵＭサーバからＮＡＰＴＲレコードを削除する手間を省略することができる。
【００１４】
本発明の第３の態様は、第１又は第２の態様における呼接続制御装置において、前記削除処理手段によりＮＡＰＴＲレコードを削除したＩＰ電話装置の情報を、通知先として指定された他のＩＰ電話装置に送信する送信手段を具備する構成を採る。
【００１５】
この構成によれば、ＩＰ電話装置のユーザがＥＮＵＭサーバからＮＡＰＴＲレコードが削除されたＩＰ電話装置を知ることができる。
【００１６】
本発明の第４の態様に係るＥＮＵＭサーバは、ＩＰ電話装置の呼接続を制御する呼接続制御装置から、ＩＰ電話装置のＮＡＰＴＲレコードの登録要求または削除要求を受信する受信手段と、前記受信手段により登録要求を受信したとき前記ＩＰ電話装置のＮＡＰＴＲレコードを記憶する記憶手段と、前記受信手段により削除要求を受信したとき前記ＩＰ電話装置のＮＡＰＴＲレコードを前記記憶手段から削除する削除手段と、を具備する構成を採る。
【００１７】
この構成によれば、呼接続制御装置からの要求によりＥＮＵＭＵサーバが、ＩＰ電話装置のＮＡＰＴＲレコードの登録、削除を行うので、ＩＰ電話装置のユーザの手間を省略することができる。
【００１８】
本発明の第５の態様に係るＩＰ電話装置は、ＩＰ電話装置の呼接続を制御する呼接続制御装置とＩＰネットワークを介して接続されるＩＰ電話装置であって、前記ＮＡＰＴＲレコードの削除要求を指示する指示手段と、前記指示手段からの指示に応じて、ＮＡＰＴＲレコードの削除要求を前記呼接続制御装置に送信する送信手段と、を具備する構成を採る。
【００１９】
この構成によれば、ＩＰ電話装置のユーザは指示するだけでＥＮＵＭサーバからＮＡＰＴＲレコードを簡単に削除することができる。
【００２０】
本発明の第６の態様は、第５の態様におけるＩＰ電話装置において、前記送信手段は、自装置の端末の登録要求を定期的に前記呼接続制御装置に送信し、前記指示手段からの指示に応じて、前記登録要求の送信を停止する構成を採る。
【００２１】
この構成によれば、ＩＰ電話装置のユーザは指示するだけでＥＮＵＭサーバからＮＡＰＴＲレコードを簡単に削除することができる。
【００２２】
本発明の第７の態様に係るＩＰ電話装置は、他のＩＰ電話装置のＮＡＰＴＲレコードの登録問い合わせをＥＮＵＭサーバに定期的に送信する問合せ手段と、前記問合せ手段による登録問い合わせに応じて前記ＥＮＵＭサーバから送信される他のＩＰ電話装置のＮＡＰＴＲレコードの登録情報を受信する受信手段と、前記受信手段により受信した他のＩＰ電話装置の登録情報を表示する表示手段と、を具備する構成を採る。
【００２３】
この構成によれば、ＩＰ電話装置のユーザがＥＮＵＭサーバからＮＡＰＴＲレコードが削除されたＩＰ電話装置、またはＮＡＰＴＲレコードが登録されたＩＰ電話装置を知ることができる。
【００２４】
本発明の第８の態様に係るＩＰ電話システムは、ＩＰネットワークに接続されたＩＰ電話装置と、ＩＰ電話装置の呼接続を制御する呼接続制御装置、を具備するＩＰ電話システムであって、前記ＩＰ電話装置は、前記ＮＡＰＴＲレコードの削除要求を指示する指示手段と、前記指示手段からの指示に応じて、ＮＡＰＴＲレコードの削除要求を前記呼接続制御装置に送信する送信手段とを具備し、前記呼接続制御装置は、前記ＩＰ電話装置から送信されるＮＡＰＴＲレコードの削除要求を受信する受信手段と、前記受信手段により受信した削除要求に含まれる電話番号に基づいて該電話番号のＩＰ電話装置のＮＡＰＴＲレコードの削除処理をＥＮＵＭサーバに対し要求する削除処理手段とを具備する構成を採る。
【００２５】
この構成によれば、ＩＰ電話装置のユーザは指示するだけで、ＥＮＵＭサーバからＮＡＰＴＲレコードを簡単に削除することができ、ＩＰ電話装置のユーザにとって使い勝手の良いＩＰ電話システムを提供することができる。
【００２６】
本発明の第９の態様に係るＩＰ電話システムは、ＩＰネットワークに接続されたＩＰ電話装置と、ＩＰ電話装置の呼接続を制御する呼接続制御装置、を具備するＩＰ電話システムであって、前記ＩＰ電話装置は、前記ＮＡＰＴＲレコードの削除要求を指示する指示手段と、前記指示手段からの指示に応じて、ＮＡＰＴＲレコードの削除要求を前記呼接続制御装置に送信する送信手段とを具備し、前記呼接続制御装置は、前記ＩＰ電話装置から送信されるＮＡＰＴＲレコードの削除要求を受信する受信手段と、前記受信手段により受信した削除要求に含まれる電話番号に基づいて該電話番号のＩＰ電話装置のＮＡＰＴＲレコードの削除処理をＥＮＵＭサーバに対し要求する削除処理手段と、前記ＩＰ電話装置のＮＡＰＴＲレコードが削除されたことを通知先として登録されている他のＩＰ電話装置に通知する通知手段とを具備する構成を採る。
【００２７】
この構成によれば、ＩＰ電話装置のユーザは指示するだけで、ＥＮＵＭサーバからＮＡＰＴＲレコードを簡単に削除することができるうえ、削除したことを他ＩＰ電話装置に自動的に通知することができ、ＩＰ電話装置のユーザにとって使い勝手の良いＩＰ電話システムを提供することができる。
【００２８】
以下、本発明の実施の形態について図面を参照して詳細に説明する。
【００２９】
図１は、本実施の形態のＩＰ電話システムの全体構成を示す図である。図１において、ＩＰ電話システム１００は、複数台のＩＰ電話装置（以下、ＩＰ電話という）１０１、１０２、ＥＮＵＭサーバ１０３、呼接続制御（以下、ＣＡという）１０４がＩＰネットワーク１０５を介して相互に接続されている。なお、同図の構成に限らず３台以上のＩＰ電話を接続してＩＰ電話システムを構成してもよい。
【００３０】
ＩＰ電話１０１（１０２）は、ＩＰネットワーク１０５を介して他のＩＰ電話との間で音声通話が可能な機能を有している。
【００３１】
ＥＮＵＭ（Telephone Number Mapping）サーバ１０３は、ＮＡＰＴＲ（The Naming Authority Pointer）リソースレコード（以下、ＮＡＰＴＲレコードという）を登録するデータベースを備える。ＥＮＵＭサーバ１０３は、ＩＰ電話１０１（１０２）の問い合わせに応じて、データベースに登録されたＮＡＰＴＲレコードをＩＰ電話１０１（１０２）に返送する。
【００３２】
ＣＡ１０４は、ＩＰネットワーク１０５に接続されたＩＰ電話１０１（１０２）間の呼接続を制御する。ＣＡ１０４は、着信を受けたＩＰ電話１０１（１０２）からの呼接続要求に応じて、着呼先のＩＰ電話１０１（１０２）との間で呼接続制御を実行する。
【００３３】
図２は、本実施の形態のＩＰ電話１０１の構成を示すブロック図である。なお、ＩＰ電話１０２もＩＰ電話１０１と同様の構成を有する。
【００３４】
図２において、ＩＰ電話１０１は、ＣＰＵ２０１、メモリ２０２、ハンドセット２０３、表示装置２０４及びネットワーク・インターフェース（以下、ネットワークＩ／Ｆという）２０５により主に構成されている。
【００３５】
ＣＰＵ（Central Processing Unit ）２０１は、メモリ２０２に記憶された音声通話制御プログラムに基づいてＩＰネットワーク１０５を介して他のＩＰ電話１０２と音声通話を行う際に必要となる全ての動作を制御する。従って、ＣＰＵ２０１は、ＳＩＰ（Session Initiation Protocol ）やＨ．３２３に代表される呼制御プロトコルに従って、宛先端末との間の呼制御を実行する。また、ＣＰＵ２０１は、表示装置２０４やネットワークＩ／Ｆ２０５に必要な指示を与える。
【００３６】
また、ＣＰＵ２０１は、ＥＮＵＭサーバ１０３へ宛先端末に対応するＮＡＰＴＲレコードを問い合わせる「ＮＡＰＴＲ問い合わせ」の送出や、その「ＮＡＰＴＲ問い合わせ」に対する応答「ＮＡＰＴＲ削除応答」の受信の制御を行う。また、ＣＰＵ２０１は、ＩＰ電話１０１がＩＰネットワーク１０５に接続され設置された後の最初の電源オン時に、自装置の端末の登録要求を、ネットワークＩ／Ｆ２０５からＣＡ１０４に自動的に送出する制御を行う。
【００３７】
また、ＣＰＵ２０１は、後述する留守キー３０３が押された時に、ＮＡＰＴＲレコードの削除要求（Ｒｅｇｉｓｔｅｒ（Ｕｎｒｅｇｉｓｔｅｒ））を、ネットワークＩ／Ｆ２０５からＣＡ１０４に自動的に送出する制御を行う。あるいは、ＣＰＵ２０１は、自装置の端末の登録要求（Ｒｅｇｉｓｔｅｒ）を、ネットワークＩ／Ｆ２０５からＣＡ１０４に定期的に送出し、後述する留守キー３０３が押された時に、登録要求（Ｒｅｇｉｓｔｅｒ）の送出を停止する制御を行う。
【００３８】
なお、ＩＰ電話１０１に設けられる「留守キー」とは、ユーザが外出あるいは離席などにより電話に応対できない場合に押下しておくキーである。「留守キー」を押下することによりＩＰ電話１０１のＮＡＰＴＲレコードがＥＮＵＭサーバから削除されるので、ＩＰ電話１０１のユーザが不在であることを、電話機の在宅表示ランプの消灯により他のＩＰ電話装置のユーザに明示することができる。また、この「留守キー」は、従来からある留守番電話機能を備えた「留守番電話キー」と併用されるものであってもよい。その場合は、ＮＡＰＴＲレコードを削除し他のＩＰ電話装置の在宅表示ランプを消灯させるとともに、従来どおりの録音モードに移行する留守番電話機能を実行するものとする。
【００３９】
また、ＣＰＵ２０１は、ＩＰ電話装置１０２のＮＡＰＴＲレコード登録の問い合わせを定期的にネットワークＩ／Ｆ２０５からＣＡ１０４に送出し、この問い合わせに応じてＣＡ１０４からネットワークＩ／Ｆ２０５を介してＩＰ電話１０２のＮＡＰＴＲレコード削除応答を受信すると、後述する在宅表示ランプ３０５を消灯する。
【００４０】
メモリ２０２は、ＣＰＵ２０１が実行する音声通話制御プログラム等を記憶するＲＯＭ（Read Only Memory）としての機能と、ＣＰＵ２０１がプログラムを実行する際のワークメモリとして利用されるＲＡＭ（Random Access Memory）としての機能を有する。
【００４１】
ハンドセット２０３は、ユーザによるオフフック操作又はオンフック操作に応じてオフフック信号又はオンフック信号をＣＰＵ２０１に出力する。また、ハンドセット２０３は、マイクとスピーカを備え、宛先端末との間の通話開始時にユーザの送話音声をマイクにより送話音声信号に変換してＣＰＵ２０１に出力するとともに、ＣＰＵ２０１から入力される受話音声信号をスピーカにより受話音声として出力する。
【００４２】
表示装置２０４は、液晶パネル等により構成され、ＩＰ電話１０１の現在のステータスを表示するとともに、ＣＰＵ２０１から入力された発信側ＩＰ電話の氏名、住所、電話番号等を表示する。
【００４３】
ネットワークＩ／Ｆ２０５は、ＩＰ電話１０１が接続されるＩＰネットワーク１０５とのインターフェースであり、上記ＣＰＵ２０１の制御により、削除要求（Ｒｅｇｉｓｔｅｒ（Ｕｎｒｅｇｉｓｔｅｒ））のＣＡ１０４への送出処理、登録要求（Ｒｅｇｉｓｔｅｒ）のＣＡ１０４への定期的送出処理、ＩＰ電話１０２のＮＡＰＴＲレコード削除応答を受信する受信処理を実行する。なお、ネットワークＩ／Ｆ２０５は、送信手段及び受信手段として機能する。
【００４４】
図３は、本実施の形態のＩＰ電話１０１の外観を示す正面図である。なお、ＩＰ電話１０２についても同様の構成を有する。
【００４５】
図３において、ＩＰ電話１０１は、ユーザの音声を受けるマイクと、受話音声を発声するスピーカとを有するハンドセット２０３と、電話番号等を受け付けるテンキー３０２と、留守番電話機能を切り替える留守キー３０３と、音声を外部出力に切り替えるスピーカキー３０４と、他のＩＰ電話を利用するユーザの在宅を表示する在宅表示ランプ３０５とを備えている。さらに、側面部にＩＰネットワーク１０５に接続されるＬＡＮインターフェース（ＬＡＮＩ／Ｆ）３０６と、公衆回線網に接続される公衆回線インターフェース（公衆回線Ｉ／Ｆ）３０７とを備えている。なお、留守キー３０３は、指示手段として機能する。
【００４６】
在宅表示ランプ３０５の上側に、液晶パネル等で構成される表示装置２０４が設けられている。表示装置２０４は、ＥＮＵＭサーバ１０３から受信したＮＡＰＴＲレコードから発信者番号あるいは発信者番号に対応付けて電話帳登録された氏名、住所等が表示される。また、在宅表示ランプ３０５は、４人分のＩＰ電話ユーザの在宅を表示可能であり、図中では、知人Ａ、知人Ｂ、知人Ｄ及び知人Ｅの各在宅ランプが点灯可能である場合を示している。なお、在宅表示ランプ３０５は、表示手段として機能する。
【００４７】
また、在宅表示ランプ３０５は、例えば知人ＡのＩＰ電話の電源がオンされたり、知人ＡのＩＰ電話に設けられた在宅を通知するためのキーが押下されて、知人ＡのＩＰ電話から在宅通知メッセージを受信した場合に、電話機の知人Ａに該当する在宅表示ランプ３０５が点灯するものである。知人Ａ、Ｂ、Ｄ、Ｅの４つの在宅表示ランプが点灯している場合は、４人のＩＰ電話からそれぞれ在宅通知メッセージを受信したことを示す。
【００４８】
また、ＩＰ電話のメモリ２０２には、例えば４つ設けられた在宅表示ランプ３０５のうちのどのランプに該当するかを示すランプの識別情報（例えば左端から右端までを順にランプ１、２、３、４とする）と、知人名（Ａさん）と、その知人の電話番号とが対応付けれて記憶されている。従って、メモリ２０２を参照することにより、どの電話番号のＩＰ電話についてＮＡＰＴＲ問い合わせを行えばよいか、削除応答を受信した場合どの在宅表示ランプを消灯すればよいかを判断することができる。
【００４９】
図４は、本実施の形態のＣＡ１０４の構成を示すブロック図である。図４において、ＣＡ１０４は、ＣＰＵ４０１、メモリ４０２、顧客データベース４０３、入出力装置４０４、ネットワークＩ／Ｆ４０５及びＮＡＰＴＲデータ変換部４０６により主に構成される。
【００５０】
ＣＰＵ４０１は、メモリ４０２に記憶された制御プログラムに基づいてＣＡ１０４全体を制御する。また、ＣＰＵ４０１は、例えば、ＩＰ電話１０１からＮＡＰＴＲレコードの登録要求（Ｒｅｇｉｓｔｅｒ）を受け付けると、後述する顧客データベース４０３から該当する顧客データを検索してＮＡＰＴＲデータ変換部４０６に渡し、変換されたＮＡＰＴＲレコードをＥＮＵＭサーバ１０３に登録する処理を実行する。
【００５１】
また、ＣＰＵ４０１は、例えば、ＩＰ電話１０１からＮＡＰＴＲレコードの削除要求（Ｒｅｇｉｓｔｅｒ（Ｕｎｒｅｇｉｓｔｅｒ））を受け付けると、あるいは、ＩＰ電話１０１から定期的に受け付ける端末の登録要求（Ｒｅｇｉｓｔｅｒ）の受け付けが停止すると、後述する顧客データベース４０３に記憶された該当する顧客データを参照し、ＩＰ電話１０１のＮＡＰＴＲレコードの削除要求をＥＮＵＭサーバ１０３に送出する。
【００５２】
また、ＣＰＵ４０１は、例えば、ＩＰ電話１０２からＩＰ電話１０１のＮＡＰＴＲレコードの問い合わせをネットワークＩ／Ｆ４０５を介して定期的に受け付けると、そのＮＡＰＴＲレコードの削除処理が完了している場合は、ＩＰ電話１０１のＮＡＰＴＲ削除応答をネットワークＩ／Ｆ４０５を介してＩＰ電話１０２に返送する。なお、ＣＰＵ４０１は、削除処理手段として機能する。
【００５３】
メモリ４０２は、ＣＰＵ４０１が実行する制御プログラム等を記憶するＲＯＭとしての機能と、ＣＰＵ４０１がプログラムを実行する際のワークメモリとして利用されるＲＡＭとしての機能を有する。
【００５４】
顧客データベース４０３は、図１０に示すように、ＩＰ電話１０１，１０２の顧客データとして、ＩＰ電話１０１，１０２を利用するユーザ毎に、氏名、住所、電話番号、メールアドレス、参照ＵＲＬ（ホームページ）を対応付けて、予めシステム管理者等により記憶される。
【００５５】
入出力装置４０４は、ＣＡ１０４をメンテナンスする際に使用するキーボード等の入力デバイスと、メンテナンス情報を表示する表示装置等の出力デバイスとから構成される。ネットワークＩ／Ｆ４０５は、ＣＡ１０４が接続されるＩＰネットワーク１０５とのインターフェースである。なお、ネットワークＩ／Ｆ４０５は、受信手段及び送信手段として機能する。
【００５６】
次に、図１のＩＰ電話システム１００において、ＩＰ電話１０１がＣＡ１０４に対してＮＡＰＴＲレコードを登録要求し、続いて、ＩＰ電話１０１がＣＡ１０４に対してＮＡＰＴＲレコードを削除要求し、ＩＰ電話１０２にＮＡＰＴＲ削除応答を行うまでの動作について、図５に示すシーケンス図を参照して説明する。
【００５７】
なお、図５の動作を説明する前提として、ＣＡ１０４には、ＩＰ電話１０１，１０２の顧客データが顧客データベース４０３に予め記憶されているものとする。
【００５８】
図５に示すシーケンス図では、ＩＰ電話１０１が初期電源オン時に端末の登録要求をＣＡ１０４に対して行い、ＣＡ１０４がＩＰ電話１０１のＮＡＰＴＲレコードの登録処理をＥＮＵＭサーバ１０３に対して行い、続いて、ＩＰ電話１０１がＮＡＰＴＲレコードの削除要求をＣＡ１０４に対して行い、ＣＡ１０４がＩＰ電話１０１のＮＡＰＴＲレコードの削除処理をＥＮＵＭサーバ１０３に対して行い、ＩＰ電話１０２にＮＡＰＴＲ削除応答を行うまでの動作について説明する。
【００５９】
ＩＰ電話１０１がＩＰネットワーク１０５への接続等の設置処理が完了し、最初に電源がオンされると、その初期電源オン後に、ＩＰ電話１０１内のＣＰＵ２０１は、自装置をＣＡ１０４に登録するため、「Ｒｅｇｉｓｔｅｒ」メッセージをＣＡ１０４に送出する（ステップＳ５０１）。本実施例では、この「Ｒｅｇｉｓｔｅｒ」メッセージの送出により、ＥＮＵＭサーバ１０３に対しＩＰ電話１０１のＮＡＰＴＲレコードの登録を行う。「Ｒｅｇｉｓｔｅｒ」メッセージには、ＩＰ電話１０１の電話番号、ユーザＩＤ、パスワード等が含まれる。
【００６０】
ＣＡ１０４は、ネットワークＩ／Ｆ４０５によりＩＰ電話１０１から「Ｒｅｇｉｓｔｅｒ」メッセージを受け付けると、「２００ＯＫ」メッセージをＩＰ電話１０１に返送する（ステップＳ５０２）。
【００６１】
次に、ＣＡ１０４内のＣＰＵ４０１は、「Ｒｅｇｉｓｔｅｒ」メッセージに含まれる電話番号に基づいて顧客データベース４０３から該当する顧客データを読み出して、ＮＡＰＴＲデータ変換部４０６に渡す。ＮＡＰＴＲデータ変換部４０６は、ＣＰＵ４０１から渡された顧客データをＮＡＰＴＲレコードに変換する処理を実行し、図１０に示すように変換処理したＮＡＰＴＲレコードをＣＰＵ４０１に渡す。
【００６２】
次に、ＣＡ１０４内のＣＰＵ４０１は、ＮＡＰＴＲデータ変換部４０６から渡されたＮＡＰＴＲレコードを含む「ＩＰ電話１０１の登録」メッセージをネットワークＩ／Ｆ４０５からＥＮＵＭサーバ１０３に送出する（ステップＳ５０３）。ＥＮＵＭサーバ１０３は、ＣＡ１０４から「ＩＰ電話１０１の登録」メッセージを受け付けると、例えば「Ｎｓｕｐｄａｔｅ」のようなアプリケーションソフトを起動し、その「ＩＰ電話１０１の登録」メッセージに含まれるＮＡＰＴＲレコードをデータベースに登録する。そして、ＥＮＵＭサーバ１０３は、「ＩＰ電話１０１登録完了」メッセージをＣＡ１０４に返送する（ステップＳ５０４）。
【００６３】
次に、ＩＰ電話１０２がＩＰネットワーク１０６への接続等の設置処理が完了し、最初に電源がオンされると、その初期電源オン後に、ＩＰ電話１０２内のＣＰＵ２０１は、自装置をＣＡ１０４に登録するため、「Ｒｅｇｉｓｔｅｒ」メッセージをＣＡ１０４に送出する（ステップＳ５０５）。この場合、「Ｒｅｇｉｓｔｅｒ」メッセージには、ＩＰ電話１０２の電話番号、ユーザＩＤ、パスワード等が含まれる。
【００６４】
ＣＡ１０４は、ネットワークＩ／Ｆ４０５によりＩＰ電話１０２から「Ｒｅｇｉｓｔｅｒ」メッセージを受け付けると、「２００ＯＫ」メッセージをＩＰ電話１０２に返送する（ステップＳ５０６）。
【００６５】
次に、ＣＡ１０４内のＣＰＵ４０１は、「Ｒｅｇｉｓｔｅｒ」メッセージに含まれる電話番号に基づいて顧客データベース４０３から該当する顧客データを読み出して、ＮＡＰＴＲデータ変換部４０６に渡す。ＮＡＰＴＲデータ変換部４０６は、ＣＰＵ３０１から渡された顧客データをＮＡＰＴＲレコードに変換する処理を実行し、変換処理したＮＡＰＴＲレコードをＣＰＵ４０１に渡す。
【００６６】
次に、ＣＡ１０４内のＣＰＵ４０１は、ＮＡＰＴＲデータ変換部４０６から渡されたＮＡＰＴＲレコードを含む「ＩＰ電話１０２の登録」メッセージをネットワークＩ／Ｆ４０５からＥＮＵＭサーバ１０３に送出する（ステップＳ５０７）。ＥＮＵＭサーバ１０３は、ＣＡ１０４から「ＩＰ電話１０２の登録」メッセージを受け付けると、例えば「Ｎｓｕｐｄａｔｅ」のようなアプリケーションソフトを起動し、その「ＩＰ電話１０２の登録」メッセージに含まれるＮＡＰＴＲレコードをデータベースに登録する。そして、ＥＮＵＭサーバ１０３は、「ＩＰ電話１０２登録完了」メッセージをＣＡ１０４に返送する（ステップＳ５０８）。
【００６７】
以上の処理により、ＩＰ電話１０１，１０２の各ＮＡＰＴＲレコードのＥＮＵＭサーバ１０３への登録処理が終了する。
【００６８】
次に、ＩＰ電話１０１において、ユーザにより留守キー３０３が押されると、ＣＰＵ２０１は、その留守キー３０３のＯＮ信号を認識して、自装置のＮＡＰＴＲレコードのＥＮＵＭサーバ１０３からの削除を要求するため、「Ｒｅｇｉｓｔｅｒ（Ｕｎｒｅｇｉｓｔｅｒ）」メッセージをＣＡ１０４に送出する（ステップＳ５０９）。この場合、「Ｒｅｇｉｓｔｅｒ（Ｕｎｒｅｇｉｓｔｅｒ）」メッセージには、ＩＰ電話１０１の電話番号、ユーザＩＤ、パスワード等が含まれる。
【００６９】
また、ＩＰ電話１０１は、自装置の端末の登録要求である「Ｒｅｇｉｓｔｅｒ」メッセージを定期的にＣＡ１０４に送出し、留守キー３０３が押された時に、「Ｒｅｇｉｓｔｅｒ」メッセージのＣＡ１０４への送出を停止する動作としてもよい。
【００７０】
次に、ＣＡ１０４は、ネットワークＩ／Ｆ４０５によりＩＰ電話１０１から「Ｒｅｇｉｓｔｅｒ（Ｕｎｒｅｇｉｓｔｅｒ）」メッセージを受け付けると、「２００ＯＫ」メッセージをＩＰ電話１０１に返送する（ステップＳ５１０）。
【００７１】
また、ＣＡ１０４は、ＩＰ電話１０１から定期的に送信される「Ｒｅｇｉｓｔｅｒ」メッセージを受け付けていて、その「Ｒｅｇｉｓｔｅｒ」メッセージの受け付けが停止した場合は、「２００ＯＫ」メッセージをＩＰ電話１０１に返送しない動作としてもよい。すなわち、ＣＡ１０４は、ＩＰ電話１０１から「Ｒｅｇｉｓｔｅｒ（Ｕｎｒｅｇｉｓｔｅｒ）」メッセージを受け付けた場合、又は、「Ｒｅｇｉｓｔｅｒ」メッセージの受け付けが停止した場合、ＩＰ電話１０１のＮＡＰＴＲレコードの削除処理を開始するトリガーとすることが可能である。
【００７２】
次に、ＣＡ１０４内のＣＰＵ４０１は、上記動作によりＩＰ電話１０１のＮＡＰＴＲレコードの削除処理を開始すると、「Ｒｅｇｉｓｔｅｒ（Ｕｎｒｅｇｉｓｔｅｒ）」メッセージ又は「Ｒｅｇｉｓｔｅｒ」メッセージに含まれるＩＰ電話１０１の電話番号に基づいて、顧客データベース４０３に記憶されたＩＰ電話１０１の顧客データを参照し、「ＩＰ電話１０１の削除」メッセージをネットワークＩ／Ｆ４０５からＥＮＵＭサーバ１０３に送出する（ステップＳ５１１）。
【００７３】
このとき、顧客データ(図１０)の電話番号を、図１０のＥＮＵＭドメイン名に変換して、このＥＮＵＭドメイン名により削除するＮＡＰＴＲレコードを指示することができる。なお、電話番号「３１０００００００」は、最初に国番号付きの「８１３１０００００００」に変換されてから数字間にドットが挿入されて「８．１．３．１．０．０．０．０．０．０．０」となり、次に、数字を逆順にして最後に文字列「．ｅ１６４．ａｒｐａ」が追加されてドメイン名「０．０．０．０．０．０．０．１．３．１．８．ｅ１６４．ａｒｐａ」と変換される。
【００７４】
次に、ＥＮＵＭサーバ１０３は、ＣＡ１０４から「ＩＰ電話１０１の削除」メッセージを受け付けると、例えば「Ｎｓｕｐｄａｔｅ」のようなアプリケーションソフトを起動して、データベースに登録されたＩＰ電話１０１のＮＡＰＴＲレコードを削除し、「ＩＰ電話１０１削除完了」メッセージをＣＡ１０４に返送する（ステップＳ５１２）。
【００７５】
以上の処理により、ＩＰ電話１０１のＮＡＰＴＲレコードのＥＮＵＭサーバ１０３からの削除処理が終了する。
【００７６】
次に、ＩＰ電話１０２は、ポーリング機能により「ＩＰ電話１０１のＮＡＰＴＲ問い合わせ」メッセージをＥＮＵＭサーバ１０３に定期的に送出する（ステップＳ５１３）。ＥＮＵＭサーバ１０３は、ＩＰ電話１０２から定期的に送信される「ＩＰ電話１０１のＮＡＰＴＲ問い合わせ」メッセージを受け付けると、ＩＰ電話１０１のＮＡＰＴＲレコードが削除されている場合は、「ＩＰ電話１０１のＮＡＰＴＲ削除応答」メッセージをＩＰ電話１０２に返送する（ステップＳ５１４）。
【００７７】
次に、ＩＰ電話１０２内のＣＰＵ２０１は、ネットワークＩ／Ｆ２０５によりＣＡ１０４から「ＩＰ電話１０１のＮＡＰＴＲ削除応答」メッセージを受け付けると、ＩＰ電話１０１のＮＡＰＴＲレコードが削除されたことを認識し、該当する在宅表示ランプ３０５を消灯する。これにより、ＩＰ電話１０２のユーザは、ＩＰ電話１０１のユーザが留守であることを確認することができる。
【００７８】
次に、図５のシーケンス図に示したＩＰ電話１０１、ＣＡ１０４及びＩＰ電話１０２の各動作について、図６及び図７に示すフローチャートを参照して説明する。まず、ＣＡ１０４内の顧客データベース４０３内には、図１０に示したＩＰ電話１０１，１０２の各顧客データが予め記憶されているものとする。また、図１０には図示されていないが、ＣＡ１０４にＩＰ電話の端末の登録がされているかいないかを表す端末登録の有無の情報も各顧客データごとに保持されているものとする（あるいは、顧客データとは別にＣＡ１０４のメモリに記憶されていてもよい）。端末登録の有無の情報とは、ＩＰ電話からＲｅｇｉｓｔｅｒをＣＡが受信したときに「登録有り」とされ、Ｕｎｒｅｇｉｓｔｅｒを受信したときに「登録無し」とされる。ＣＡは端末の登録がされたＩＰ電話の呼接続の制御を行う。
【００７９】
ＩＰ電話１０１がＩＰネットワーク１０５への接続等の設置処理が完了し、最初に電源がオンされると、その初期電源オン後に、ＩＰ電話１０１内のＣＰＵ２０１は、自装置をＣＡ１０４に登録するため、「Ｒｅｇｉｓｔｅｒ」メッセージをＣＡ１０４に送出し（ステップＳ６０１）、ＣＡ１０４から「２００ＯＫ」メッセージを受け付ける（ステップＳ６０２）。
【００８０】
次に、ＣＡ１０４は、ＩＰ電話１０１から受信した「Ｒｅｇｉｓｔｅｒ」メッセージに含まれる電話番号に基づいて顧客データベース４０３から該当する顧客データを読み出して、ＩＰ電話１０１の顧客データに「登録有り」を書き込む。次に、ＮＡＰＴＲデータ変換部４０６により顧客データの必要な部分をＮＡＰＴＲレコードに変換し、変換処理したＮＡＰＴＲレコードを含む「ＩＰ電話１０１の登録」メッセージをＥＮＵＭサーバ１０３に送出する（ステップＳ６０３）。
【００８１】
次に、ＥＮＵＭサーバ１０３は、ＣＡ１０４からＮＡＰＴＲレコードを含む「ＩＰ電話１０１の登録」メッセージを受け付けると、そのＮＡＰＴＲレコードをデータベースに登録して、「ＩＰ電話１０１登録完了」メッセージをＣＡ１０４に返送する（ステップＳ６０４）。
【００８２】
次に、ＣＡ１０４は、ＥＮＵＭサーバ１０３からの「ＩＰ電話１０１登録完了」メッセージの応答の有無を判別し（ステップＳ６０５）、ＥＮＵＭサーバ１０３から「ＩＰ電話１０１登録完了」メッセージを受け付けると（ステップＳ６０５：ＹＥＳ）、ＩＰ電話１０１のＮＡＰＴＲレコードの登録を完了する。
【００８３】
次に、ＩＰ電話１０２がＩＰネットワーク１０５への接続等の設置処理が完了し、最初に電源がオンされると、その初期電源オン後に、ＩＰ電話１０２内のＣＰＵ２０１は、自装置をＣＡ１０４に登録するため、「Ｒｅｇｉｓｔｅｒ」メッセージをＣＡ１０４に送出し（ステップＳ６０６）、ＣＡ１０４から「２００ＯＫ」メッセージを受け付ける（ステップＳ６０７）。
【００８４】
次に、ＣＡ１０４は、ＩＰ電話１０２から受信した「Ｒｅｇｉｓｔｅｒ」メッセージに含まれる電話番号に基づいて顧客データベース４０３から該当する顧客データを読み出して、ＩＰ電話１０２の顧客データに「登録有り」を書き込む。次に、ＮＡＰＴＲデータ変換部４０６により顧客データの必要な部分をＮＡＰＴＲレコードに変換し、変換処理したＮＡＰＴＲレコードを含む「ＩＰ電話１０２の登録」メッセージをＥＮＵＭサーバ１０３に送出する（ステップＳ６０８）。
【００８５】
次に、ＥＮＵＭサーバ１０３は、ＣＡ１０４からＮＡＰＴＲレコードを含む「ＩＰ電話１０２の登録」メッセージを受け付けると、そのＮＡＰＴＲレコードをデータベースに登録して、「ＩＰ電話１０２登録完了」メッセージをＣＡ１０４に返送する（ステップＳ６０９）。
【００８６】
次に、ＣＡ１０４は、ＥＮＵＭサーバ１０３からの「ＩＰ電話１０２登録完了」メッセージの応答の有無を判別し（ステップＳ６１０）、ＥＮＵＭサーバ１０３から「ＩＰ電話１０２登録完了」メッセージを受け付けると（ステップＳ６１０：ＹＥＳ）、ＩＰ電話１０２のＮＡＰＴＲレコードの登録を完了する。
【００８７】
なお、ステップＳ６０５において、ＣＡ１０４は、ＥＮＵＭサーバ１０３からの「ＩＰ電話１０１登録完了」メッセージの応答がないと判別した場合（ステップＳ６０５：ＮＯ）は、ＥＮＵＭ登録失敗処理として、ＩＰ電話１０１に登録失敗を示すメッセージを送出する（ステップＳ６１３）。また、ＣＡ１０４は、ＥＮＵＭサーバ１０３からの「ＩＰ電話１０２登録完了」メッセージの応答がないと判別した場合（ステップＳ６１０：ＮＯ）は、ＥＮＵＭ登録失敗処理として、ＩＰ電話１０２に登録失敗を示すメッセージを送出する（ステップＳ６１４）。
【００８８】
次に、ＩＰ電話１０１において、ユーザが不在となるため留守キー３０３を押すと（ステップＳ６１１）、ＩＰ電話１０１内のＣＰＵ２０１は、その留守キー３０３のＯＮ信号を認識して、自装置のＮＡＰＴＲレコードのＥＮＵＭサーバ１０３からの削除を要求するため、「Ｒｅｇｉｓｔｅｒ（Ｕｎｒｅｇｉｓｔｅｒ）」メッセージをＣＡ１０４に送出する（ステップＳ６１２）。
【００８９】
次に、ＣＡ１０４は、ネットワークＩ／Ｆ４０５によりＩＰ電話１０１から「Ｒｅｇｉｓｔｅｒ（Ｕｎｒｅｇｉｓｔｅｒ）」メッセージを受け付けると、「２００ＯＫ」メッセージをＩＰ電話１０１に返送する（ステップＳ６１５）。
【００９０】
次に、ＣＡ１０４は、「Ｒｅｇｉｓｔｅｒ（Ｕｎｒｅｇｉｓｔｅｒ）」メッセージに含まれるＩＰ電話１０１の電話番号に基づいて、顧客データベース４０３に記憶されたＩＰ電話１０１の顧客データを参照し、端末登録の有無の情報が「登録有り」であれば、「ＩＰ電話１０１の削除」メッセージをネットワークＩ／Ｆ４０５からＥＮＵＭサーバ１０３に送出する（ステップＳ６１６）。
【００９１】
次に、ＥＮＵＭサーバ１０３は、ＣＡ１０４から「ＩＰ電話１０１の削除」メッセージを受け付けると、「Ｎｓｕｐｄａｔｅ」を起動して、データベースに登録されたＩＰ電話１０１のＮＡＰＴＲレコードを削除し（ステップＳ６１７）、「ＩＰ電話１０１削除完了」メッセージをＣＡ１０４に返送する（ステップＳ６１８）。
【００９２】
次に、ＩＰ電話１０２は、メモリ２０２を参照してＮＡＰＴＲ問い合わせを行うべきＩＰ電話の電話番号を読み出し、ポーリング機能により「ＩＰ電話１０１のＮＡＰＴＲ問い合わせ」メッセージをＥＮＵＭサーバ１０３に定期的に送出する（ステップＳ６１９）。なお、メモリ２０２に、ＮＡＰＴＲ問い合わせを行う相手が４人登録されていれば、各々のＩＰ電話に対し定期的に「ＮＡＰＴＲ問い合わせ」メッセージを送出することになる。
【００９３】
ＥＮＵＭサーバ１０３は、ＩＰ電話１０２から定期的に送信される「ＩＰ電話１０１のＮＡＰＴＲ問い合わせ」メッセージを受け付けると、ここではＩＰ電話１０１のＮＡＰＴＲレコードは削除されているので、「ＩＰ電話１０１のＮＡＰＴＲ削除応答」メッセージをＩＰ電話１０２に返送する（ステップＳ６２０）。もしＩＰ電話のＮＡＰＴＲレコードが削除されていない場合は、該当するＮＡＰＴＲレコードをＩＰ電話に返送することになる。
【００９４】
次に、ＩＰ電話１０２内のＣＰＵ２０１は、ネットワークＩ／Ｆ２０５によりＥＮＵＭサーバ１０３から「ＩＰ電話１０１のＮＡＰＴＲ削除応答」メッセージを受け付けると、ＩＰ電話１０１のＮＡＰＴＲレコードが削除されたことを認識し、該当する在宅表示ランプ３０５を消灯する（ステップＳ６２１）。具体的には、ＮＡＰＴＲ削除応答を受信したＩＰ電話１０１の電話番号をメモリ２０２から検索し、対応するランプの識別情報（例えば、ランプ１）を得てランプ１に該当する在宅表示ランプを消灯する。例えば、図３において、ＩＰ電話１０１が「知人Ａ」であれば、「知人Ａ在宅」ランプが消灯して、知人Ａが留守であることを知らせることができる。
【００９５】
なお、上記図５のシーケンス図、及び図７のフローチャートでは、ＩＰ電話１０２がポーリング機能を用いて「ＩＰ電話１０１のＮＡＰＴＲ問い合わせ」メッセージをＣＡ１０４に定期的に送出する場合を説明したが、この動作に限らず、ＣＡ１０４からＩＰ電話１０２にＩＰ電話１０１のＮＡＰＴＲ削除した旨のメッセージを送出するようにしても良い。
【００９６】
この場合の動作について、図８のシーケンス図及び図９のフローチャートを参照して説明する。
【００９７】
図８のシーケンス図では、ステップＳ５０１〜ステップＳ５１２までが、図５で説明した動作と同一の動作であり、異なる動作をステップＳ８０１として示し、この動作のみ説明する。
【００９８】
この場合、図１０には図示していないが、ＣＡ１０４内の顧客データベース４０３には、ＩＰ電話１０１のＮＡＰＴＲレコードの登録が削除された場合の通知先として、ＩＰ電話１０２を含む複数のＩＰ電話（例えば、５台のＩＰ電話）が登録されているものとする。なお、通知先となるＩＰ電話の登録は、システム管理者が行うようにしてもよい。
【００９９】
そして、ＣＡ１０４内のＣＰＵ４０１は、ＥＮＵＭサーバ１０３から「ＩＰ電話１０１削除完了」メッセージを受け付けると（ステップＳ５１２）、顧客データベース４０３に記憶された通知先を参照して、「ＩＰ電話１０１のＮＡＰＴＲ削除通知」メッセージをＩＰ電話１０２に送出する（ステップＳ８０１）。なお、通知先が複数設定されている場合は、それぞれの通知先に「ＩＰ電話１０１のＮＡＰＴＲ削除通知」メッセージを送出する。
【０１００】
ＩＰ電話１０２内のＣＰＵ２０１は、ＣＡ１０４から「ＩＰ電話１０１のＮＡＰＴＲ削除通知」メッセージを受け付けると、ＩＰ電話１０１のＮＡＰＴＲレコードが削除されたことを認識し、該当する在宅表示ランプ３０５を消灯する。
【０１０１】
同様に、図９に示すフローチャートでは、ステップＳ９０１のみが異なる。ステップＳ９０１において、ＣＡ１０４内のＣＰＵ４０１は、ＥＮＵＭサーバ１０３から「ＩＰ電話１０１削除完了」メッセージを受け付けると、顧客データベース４０３に記憶された通知先を参照して、「ＩＰ電話１０１のＮＡＰＴＲ削除通知」メッセージをＩＰ電話１０２に送出する。
【０１０２】
以上のように、本実施の形態のＩＰ電話システム１００では、ＣＡ１０４がＩＰ電話１０１，１０２の顧客データを顧客データベース４０３に記憶し、顧客データを用いてＩＰ電話１０１，１０２のＮＡＰＴＲレコードをＥＮＵＭサーバ１０３へ登録した後に、留守キー３０３が押されたＩＰ電話１０１からＮＡＰＴＲレコードのＥＮＵＭサーバ１０３からの削除を要求する「Ｒｅｇｉｓｔｅｒ（Ｕｎｒｅｇｉｓｔｅｒ）」メッセージを受け付けると、ＩＰ電話１０１のＮＡＰＴＲレコードの削除処理をＥＮＵＭサーバ１０３に行わせた。
【０１０３】
なお、上記実施の形態では、ＩＰ電話１０１のＮＡＰＴＲレコードをＥＮＵＭサーバ１０３から削除する場合を説明したが、ＩＰ電話１０２のＮＡＰＴＲレコードをＥＮＵＭサーバ１０３から削除する場合も同様に実行可能である。また、上記実施の形態では、ＩＰ電話１０２に対して、ＩＰ電話１０１のＮＡＰＴＲレコードが削除されたことを通知する場合を説明したが、ＩＰ電話１０１に対しても同様にＩＰ電話１０２のＮＡＰＴＲレコードが削除されたことを通知することが可能である。
【０１０４】
そして、ＥＮＵＭサーバ１０３は、ＮＡＰＴＲレコードの削除処理後に、ＩＰ電話１０２から定期的に送信される「ＩＰ電話１０１のＮＡＰＴＲ問い合わせ」メッセージを受け付けると、「ＩＰ電話１０１のＮＡＰＴＲ削除応答」メッセージをＩＰ電話１０２に通知する処理を実行した。また、ＣＡ１０４は、顧客データベース４０３に削除の通知先として、予め記憶したＩＰ電話１０２に対して、「ＩＰ電話１０１のＮＡＰＴＲ削除通知」メッセージを通知するようにした。
【０１０５】
ＩＰ電話１０２は、「ＩＰ電話１０１のＮＡＰＴＲ削除通知」メッセージを受け付けると、該当する在宅表示ランプ３０５を消灯する処理を実行し、ユーザに対してＩＰ電話１０１のユーザが留守であることを知らせるようにした。
【０１０６】
したがって、ＩＰ電話１０１，１０２のユーザは、留守キー３０３を押すだけで、ＮＡＰＴＲレコードをＥＮＵＭサーバ１０３から削除することができ、削除する手間を省略することができるとともに、留守であることを他のＩＰ電話に知らせることができる。また、ＩＰ電話１０１，１０２のユーザは、在宅表示ランプ３０５の消灯により、そのＩＰ電話ユーザが留守であることを知ることができ、無駄な発信を回避することができる。その結果、ＩＰ電話のユーザにとって使い勝手の良いＩＰ電話システムを提供することができる。
【０１０７】
なお、上記実施の形態では、ＩＰ電話１０１から自装置のＮＡＰＴＲレコードのＥＮＵＭサーバ１０３からの削除を要求する際に、留守キー３０３の操作に応じて「Ｒｅｇｉｓｔｅｒ（Ｕｎｒｅｇｉｓｔｅｒ）」メッセージをＣＡ１０４に送出する場合を示したが、他のメッセージを利用するようにしてもよい。
【０１０８】
例えば、ＲＦＣ３４２７に規定された「Ｎｏｔｉｆｙ  Ｉｎｆｏ」メッセージを利用し、この「Ｎｏｔｉｆｙ  Ｉｎｆｏ」メッセージのＰヘッダにＩＰ電話１０１の電話番号を設定してＣＡ１０４に送信するようにしてもよい。
【０１０９】
この場合、ＣＡ１０４は、「Ｎｏｔｉｆｙ  Ｉｎｆｏ」メッセージのＰヘッダに設定されたＩＰ電話１０１の電話番号を参照してＩＰ電話１０１のＮＡＰＴＲレコードの削除処理をＥＮＵＭサーバ１０３に対して実行することが可能になる。
【産業上の利用可能性】
【０１１０】
本発明に係る呼接続制御装置、ＩＰ電話装置及びＩＰ電話システムによれば、ＩＰ電話装置のユーザがＥＮＵＭサーバに登録したＮＡＰＴＲレコードを削除する手間を省略することができ、ＩＰ電話装置のユーザの負担を軽減するＩＰ電話システムを提供できる点で有用である。
【図面の簡単な説明】
【０１１１】
【図１】本発明を適用した実施の形態に係るＩＰ電話システムの構成を示す図
【図２】本実施の形態に係るＩＰ電話の構成を示すブロック図
【図３】図２のＩＰ電話の外観を示す正面図
【図４】本実施の形態に係るＣＡの構成を示すブロック図
【図５】本実施の形態に係るＩＰ電話システムにおいて、ＩＰ電話がＣＡに対してＮＡＰＴＲレコードを登録要求し、続いて、ＩＰ電話のＮＡＰＴＲレコードをＥＮＵＭサーバから削除するまでの動作を説明するためのシーケンス図
【図６】図５のシーケンス図におけるＩＰ電話システムの動作を説明するためのフローチャート
【図７】図６に続く動作を説明するためのフローチャート図
【図８】図５の一部を変更した動作を説明するためのシーケンス図
【図９】図８のシーケンス図におけるＩＰ電話システムの動作を説明するためのフローチャート図
【図１０】本実施の形態に係るＣＡにおいて、顧客データからＮＡＰＴＲレコードに変換した一例を示す図
【符号の説明】
【０１１２】
１００  ＩＰ電話システム
１０１，１０２  ＩＰ電話
１０３  ＥＮＵＭサーバ
１０４  ＣＡ
１０５  ＩＰネットワーク
２０１，４０１  ＣＰＵ
２０２，４０２  メモリ
２０３  ハンドセット
２０４  表示装置
２０５，４０５  ネットワークＩ／Ｆ
３０３  留守キー
３０５  在宅表示ランプ
４０６  ＮＡＰＴＲデータ変換部
【図１】
2006074723.tif 000003
【図２】
2006074723.tif 000004
【図３】
2006074723.tif 000005
【図４】
2006074723.tif 000006
【図５】
2006074723.tif 000007
【図６】
2006074723.tif 000008
【図７】
2006074723.tif 000009
【図８】
2006074723.tif 000010
【図９】
2006074723.tif 000011
【図１０】
2006074723.tif 000012